(57)【要約】      （修正有）【課題】フィルムの動きに合わせて回動することによりフィルムの動きがスムーズになされるワイヤーガードを提供する。【解決手段】アルミからなるガード本体１の長手方向に凹陥部２にワイヤー１０を遊嵌する中心受け面３を設け、ワイヤーの外周面に沿いワイヤーとの間に若干の余裕を有してワイヤーが圧接を受けないプラスチック製の抑止片５を前記凹陥部２から圧入し、抑止片の左右に突出した鉤部６が凹陥部左右の係合溝４に係止して抑止片５の脱出が防止される。【選択図】図２
0003196176.tif 000002
【実用新案登録請求の範囲】
【請求項１】
アルミからなるガード本体の長手方向に形成された凹陥部にワイヤーを遊嵌する中心受け面を設け、前記中心受け面の中に位置するワイヤーの外周面に沿いワイヤーとの間に若干の余裕を有してワイヤーが圧接を受けないプラスチック製の抑止片を前記凹陥部から圧入し、該抑止片の左右に突出した鉤部が凹陥部左右の係合溝に係止して抑止片の脱出が防止されることを特徴とするワイヤーガード。
【請求項２】
前記中心受け面と本体の内周面下部間の１か所又は２か所にリブを形成することを特徴とする請求項１記載のワイヤーガード。
【考案の詳細な説明】
【技術分野】
【０００１】  本考案は温室の妻面側シートを案内するワイヤーガードに関する。
【背景技術】
【０００２】  植物育成のための温室は常に適温とすることが求められており、そのために採光・通風などの諸条件を満たすための対策として温室躯体に密接するところのシートの開閉操作にも十分に配慮していて通常は屋根材の中心部に向かって開閉し直接に採光を取り入れ或いは遮蔽したり気体を封入して温度調整をする温室カーテンを用いるが、温室の妻側においてもカーテンフィルムを垂設する手段を採ることによって育成環境の向上を期している。上記フィルムは、上側フィルムと下側フィルムとして配され、夫々が先端パイプにスライドパイプを差し込んだものに連動する構成のものが一般的であってワイヤーガード本体はフィルム移動個所の妻面サイドワイヤーに被せている。
【考案の概要】
【考案が解決しようとする課題】
【０００３】  従来から存在するこの種ワイヤーガードには、図４に示すものが知られている。すなわち断面欠円形である長尺なガード本体５０の欠円部５１は内方に屈曲する突子５２が形成され、該突子に相対する個所にある線条溝５３内にワイヤー５４が配置され、このワイヤーが前記欠円部５１から挿入した締め付けネジ５５により固定されるが、締め付けネジ５５は平面視細長形のひし形ナット５６に螺挿している。ひし形ナット５６は欠円部５１から本体内５０に嵌挿したのち９０度回転させると突子５２と対面状となり、締め付けネジ５５を本体外部からドライバーで回動するとひし形ナット５６は締め付けネジ５５に沿い上昇して突子５２に圧接され、同時に締め付けネジ先端部がワイヤー５４を緊締するためワイヤー５４とガード本体５０は一体状となる。【０００４】  ワイヤーガードが存在することによってフィルム５７はワイヤー５４に直接することがないためワイヤーガードの本体滑面に接していたずらに傷損する恐れはないが、フィルムは不動状のガード面に接しているにすぎないため両者間に摩擦抵抗が生じてフィルムの動きがその分抑制されるとともに長期にわたる滑りの反復によりフィルムの摩耗が生ずる懸念もある。【０００５】  本考案はこのような従来技術に鑑みてなされたもので、フィルムと接するワイヤーガードがフィルムの動きに合わせて回動することによりフィルムに擦過痕を生ずることがなくそれゆえフィルムの動きが頗るスムーズになされてその寿命が保たれ、然もワイヤーとの取り付けが容易な新規ワイヤーガードを提供することを意図している。
【課題を解決するための手段】
【０００６】  上記課題解決のために本考案は、アルミからなるガード本体の長手方向に形成された凹陥部にワイヤーを遊嵌する中心受け面を設け、前記中心受け面の中に位置するワイヤーの外周面に沿いワイヤーとの間に若干の余裕を有してワイヤーが圧接を受けないプラスチック製の抑止片を前記凹陥部から圧入し、該抑止片の左右に突出した鉤部が凹陥部左右の係合溝に係止して抑止片の脱出が防止されることを特徴とする。【０００７】  前記中心受け面と本体の内周面下部間の１か所又は２か所にリブを形成することを特徴とする。
【考案の効果】
【０００８】  ワイヤーは本体凹陥部の中心受け面内に遊嵌され、且つ外周面に沿って抑止片が若干の余裕を有して臨んでいるため回転しないワイヤーに対して本体はフィルムの動きに合わせてワイヤー外面を回転する。したがって従来のように静止していたワイヤーガード上をフィルムが可動するのと異なりフィルムとワイヤーガードは一体的な動きとなるためフィルムの動きがスムーズとなって停滞することがない。【０００９】  ガード本体はアルミ製であるから補強用のリブを設けても押出成形で容易に得られ、またワイヤーの脱出を防止するプラスチック製抑止片も型形成で安価に得られるとともにその取り付けも本体の凹陥部から圧入するだけであるから従来のネジ止め方式と異なり頗る作業性がよいというメリットがある。
【図面の簡単な説明】
【００１０】
【図１】上側フィルムと下側フィルムがガード本体に掛装された説明図である。
【図２】本考案要部の断面図である。
【図３】長手方向中央の切断端面図である。
【図４】従来のワイヤーガードを示す説明図である。
【考案を実施するための形態】
【００１１】  図面の実施形態につき本考案を説明すると、図１は上側と下側のフィルム２０が上下のガイド本体１に掛装して温室（不図示）の妻側に垂下された一例を示すもので、ガイド本体１は内部に挿通したワイヤー１０の外面に回動するように取り付けられていてフィルム２０の動きに連動する。
【００１２】  図２はガード本体１とワイヤー１０との取り付け状態を示すもので、ガード本体１はアルミ製であって長手方向に凹陥部２が形成され、該凹陥部２の底部は本体１の中心位置となる部位に相当する中心受け面３が設けられてワイヤー１０を遊嵌している。そして凹陥部２の左右にはワイヤー１０の脱出を防止する抑止片５の左右に突出した鉤部６が係止する係合溝４が形成されている。
【００１３】  抑止片５はプラスチック製で下面５ａが凹弧状に形成され、ガード本体１の上方より凹陥部２に圧入すると前記したとおり鉤部６が凹陥部左右の係合溝４に係止するためその位置にて不動状となり、もはや凹陥部２から脱出するおそれはない。抑止片５の凹弧状下面５ａはワイヤー１０に臨むが両者は密着することなく若干の余裕を有して対面し、したがってワイヤー１０は抑止片１５とガード本体１の中心受け面３との間にあって遊嵌され、本体１は固定状態のワイヤー１０の周面を回動可能に取り付けられる。
【００１４】  図３は本案の長手方向中央を切断したもので、前記抑止片５は例えばガード本体１の長さが１ｍに対して２個ほど取り付けられ、ガード本体１の長さが６ｍであれば１２個となるように所定の間隔をあけてバランスよく配置されるため、ワイヤー１０がいかに長くてもガード本体１によって撓りや弛みを生ずることなくカバーされ、それゆえフィルム２０は直線状のガード本体１とともに絶えず正常に動作する。
【００１５】  しかしてアルミ製のガード本体１は押出成形により得られるため図１に示すリブ１ａを、中心受け面３と内周面の下部間の１か所又は２か所に形成することが容易であり、こうすることによりガード本体１が補強されること勿論である。
【００１６】  なお上述したところは本考案の実施の一例であって、ガード本体１及び抑止片５の形状・素材・大きさなどは任意に設定できるものであり、本考案の目的効果を奏する範囲におけるその他の変更事項も本考案の実施の範疇に属する。
【符号の説明】
【００１７】  １    ガード本体
１ａ  リブ
２    凹陥部
３    中心受け面
４    係合溝
５    抑止片
６    鉤部
１０  ワイヤー
【図１】
0003196176.tif 000003
【図２】
0003196176.tif 000004
【図３】
0003196176.tif 000005
【図４】
0003196176.tif 000006